(57)【要約】【課題】光入力レベルの正常範囲を変更することができる光端末装置及びそれを備えた光伝送システムを提供する。【解決手段】光信号を入力し、前記光信号に基づくＲＦ出力信号を出力する光端末装置であって、入力した前記光信号のレベルが正常範囲内であるか否かを判定する判定手段（マイコン３２）と、前記判定手段での判定に用いられる判定基準値を記憶する記憶手段（不揮発性メモリ３２Ａ）と、前記判定手段の判定結果を出力する判定結果出力手段（ＬＥＤ３４）と、前記判定基準値を設定するための判定基準値設定コマンドを前記光信号から抽出する抽出手段（光電変換回路２６、分岐器２９、及びＦＳＫ復調器３１）と、前記判定基準値を前記判定基準値設定コマンドに基づいて設定する設定手段（マイコン３２）とを備える光端末装置。【選択図】図３
2010239497.tif 000002
【特許請求の範囲】
【請求項１】
光信号を入力し、前記光信号に基づくＲＦ出力信号を出力する光端末装置において、
入力した前記光信号のレベルが正常範囲内であるか否かを判定する判定手段と、
前記判定手段での判定に用いられる判定基準値を記憶する記憶手段と、
前記判定手段の判定結果を出力する判定結果出力手段と、
前記判定基準値を設定するための判定基準値設定コマンドを前記光信号から抽出する抽出手段と、
前記判定基準値を前記判定基準値設定コマンドに基づいて設定する設定手段とを備えることを特徴とする光端末装置。
【請求項２】
前記記憶手段が不揮発性メモリである請求項１に記載の光端末装置。
【請求項３】
前記光信号を電気信号に変換する光電変換手段を備え、
前記設定手段が、前記抽出手段によって前記判定基準値設定コマンドが抽出されたときの前記光電変換手段から出力される入力レベルを検波した検波電圧を前記判定基準値として、前記判定基準値を設定する請求項１又は請求項２に記載の光端末装置。
【請求項４】
請求項１〜３のいずれか１項に記載の光端末装置と、前記光端末装置を遠隔制御する遠隔制御装置と、光送信装置とを備え、
前記遠隔制御装置が、判定基準値を設定するための判定基準値設定コマンドを出力し、
前記光送信装置が、前記判定基準値設定コマンドを含む電気信号を光信号に変換し、前記光信号を前記光端末装置に送信することを特徴とする光伝送システム。
【発明の詳細な説明】
【技術分野】
【０００１】
本発明は、光伝送システムの加入者側に設置され、受信した放送用光信号を電気信号に変換する光端末装置及びそれを備えた光伝送システムに関する。光端末装置は、放送用光加入者端末装置（V-ONU:Video-Optical Network Unit）及び通信用光加入者端末装置（D-ONU:Digital-Optical Network Unit）を有する放送通信一体型光加入者端末装置（V/D-ONU）であってもよく、V-ONUであってもよい。
【背景技術】
【０００２】
光ファイバケーブルを用いたケーブルテレビ放送システム等の光伝送システムでは、加入者宅毎に光端末装置（例えば、特許文献１〜３参照）が設置される。
【先行技術文献】
【特許文献】
【０００３】
【特許文献１】特開２００７−２８８３８４号公報（段落００２２、第２図）
【特許文献２】特開２００７−１２４１７５号公報（段落００３４、段落００３５、第４図）
【特許文献３】実用新案登録第３１３４７６２号公報（要約）
【発明の概要】
【発明が解決しようとする課題】
【０００４】
しかしながら、従来の光端末装置では、光入力レベルの正常範囲が固定されており変更することができなかった。
【０００５】
また、光端末装置では、光電変換回路の特性のばらつきによって、光入力レベルのレベル判定を行うマイクロコンピュータに入力される電圧にばらつきが生じる。しかしながら、従来の光端末装置では、光入力レベルの正常範囲が固定されており変更することができなかったため、光入力レベルのレベル判定を行うマイクロコンピュータに入力される電圧のばらつきを考慮することができず、実際には問題のない光入力レベルであるにもかかわらず光入力レベルが正常範囲でないと判定されてしまうおそれがあった。
【０００６】
本発明は、上記の状況に鑑み、光入力レベルの正常範囲を変更することができる光端末装置及びそれを備えた光伝送システムを提供することを目的とする。
【課題を解決するための手段】
【０００７】
上記目的を達成するために本発明に係る光端末装置は、光信号を入力し、前記光信号に基づくＲＦ出力信号を出力する光端末装置であって、入力した前記光信号のレベルが正常範囲内であるか否かを判定する判定手段と、前記判定手段での判定に用いられる判定基準値を記憶する記憶手段と、前記判定手段の判定結果を出力する判定結果出力手段と、前記判定基準値を設定するための判定基準値設定コマンドを前記光信号から抽出する抽出手段と、前記判定基準値を前記判定基準値設定コマンドに基づいて設定する設定手段とを備える構成とする。
【０００８】
このような構成によると、入力した光信号のレベルが正常範囲内であるか否かを判定する判定手段を備えているので、光入力レベルが正常範囲内であるか否かを判定することができる。さらに、このような構成によると、判定基準値を判定基準値設定コマンドに基づいて設定する設定手段を備えているので、設定手段によって再設定を行うことにより、光入力レベルの正常範囲を変更することができる。
【０００９】
また、前記記憶手段が不揮発性メモリであることが望ましい。これにより、停電などにより光端末装置への電源供給が遮断されその後復旧した場合でも、判定基準値を記憶しておくことができる。
【００１０】
また、前記光信号を電気信号に変換する光電変換手段を備え、前記設定手段が、前記抽出手段によって前記判定基準値設定コマンドが抽出されたときの前記光電変換手段から出力される入力レベルを検波した検波電圧を前記判定基準値として、前記判定基準値を設定するようにしてもよい。
【００１１】
このような構成によると、光電変換手段の特性ばらつきが判定基準値の設定に反映されるので、実際には問題のない光入力レベルであるにもかかわらず光入力レベルが正常範囲内にないと判定されてしまうおそれがなくなる。
【００１２】
また、上記目的を達成するために本発明に係る光伝送システムは、上記いずれかの構成の光端末装置と、前記光端末装置を遠隔制御する遠隔制御装置と、光送信装置とを備え、前記遠隔制御装置が、判定基準値を設定するための判定基準値設定コマンドを出力し、前記光送信装置が、前記判定基準値変更コマンドを含む電気信号を光信号に変換し、前記光信号を前記光端末装置に送信する構成とする。
【００１３】
このような構成によると、光伝送システムの運用開始後に光端末装置の光入力レベルの正常範囲を変更したいという要求が生じた場合にも対応することができる。
【発明の効果】
【００１４】
本発明によると、光端末装置が、入力した光信号のレベルが正常範囲内であるか否かを判定する判定手段と、判定基準値を判定基準値設定コマンドに基づいて設定する設定手段とを備えているので、光入力レベルの正常範囲を変更することができる。
【図面の簡単な説明】
【００１５】
【図１】は、本発明の第１実施形態に係るＣＡＴＶ用光伝送システムの概略構成を示す図である。
【図２】は、図１に示すＣＡＴＶ用光伝送システムで用いられる光端末装置の外観例を示す斜視図である。
【図３】は、V-ONUの概略構成例を示す図である。
【図４】は、工場内での判定基準値を設定する際のシステム構成例を示す図である。
【図５】は、正常範囲上限値設定コマンドのデータ構成例を示す図である。
【図６】は、正常範囲上限値設定コマンドの他のデータ構成例を示す図である。
【図７】は、正常範囲下限値設定コマンドのデータ構成例を示す図である。
【図８】は、正常範囲下限値設定コマンドの他のデータ構成例を示す図である。
【図９】は、正常範囲上限値設定コマンド及び正常範囲下限値設定コマンドのデータ構成の変形例を示す図である。
【図１０】は、本発明の第２実施形態に係るＣＡＴＶ用光伝送システムの概略構成を示す図である。
【発明を実施するための形態】
【００１６】
本発明の実施形態について図面を参照して以下に説明する。本発明の第１実施形態に係るＣＡＴＶ用光伝送システムの概略構成を図１に示す。図１に示す光伝送システムは、V-ONU遠隔制御用パーソナルコンピュータ（以下、V-ONU遠隔制御用パソコンという）１と、ＦＳＫ（Frequency Shift Keying）変調器２と、混合器３と、光送信器４と、光ファイバ５と、光分岐器６と、光ファイバ７−１〜７−ｎと、遠隔制御機能を有するV-ONU８−１〜８−ｎと、テレビ受信機９−１〜９−ｎと、加入者側パーソナルコンピュータ（以下、加入者側パソコン）１０―１〜１０−ｎと、D-ONU１１−１〜１１−ｎと、光ファイバ１２−１〜１２−ｎと、光分岐器１３と、光ファイバ１４と、通信系機器１５とを備えている。
【００１７】
本発明に係る光端末装置の一例であるV/D-ONU１６−１は、V-ONU８−１とD-ONU１１−１とによって構成される。本発明に係る光端末装置の一例であるV/D-ONU１６−２〜１６−ｎについても同様であり、V/D-ONU１６−ｋはV-ONU８−ｋとD-ONU１１−ｋとによって構成される（ｋは２以上ｎ以下の自然数）。V-ONU遠隔制御用パソコン１は、請求項に記載の遠隔制御装置の一例である。光送信器４は、請求項に記載の光送信装置の一例である。また、図１に示す光伝送システムにおけるV-ONU遠隔制御の仕様は、日本ケーブルラボが制定したV-ONU遠隔制御運用仕様（JCL SPEC-014 1.0版）に準拠したものとする。
【００１８】
V-ONU遠隔制御用パソコン１と、ＦＳＫ変調器２と、混合器３と、光送信器４と、通信系機器１５とはセンタ局に設置され、光分岐器６及び１３は伝送線路中に設置され、V/D-ONU１６−１〜１６−ｎと、テレビ受信機９−１〜９−ｎと、加入者側パソコン１０−１〜１０−ｎとは各加入者宅に設置される。なお、光分岐器６及び１３はセンタ局側に設置してもよい。
【００１９】
V-ONU遠隔制御用パソコン１は、V-ONU遠隔制御用ソフトウェアを内部の記憶部（不図示）に格納しており、そのV-ONU遠隔制御用ソフトウェアを実行することで、V-ONU８−１〜８−ｎに対応する遠隔制御命令を周期的に生成し、その遠隔制御命令をＦＳＫ変調器２に出力する。ＦＳＫ変調器２は、V-ONU遠隔制御用パソコン１からの遠隔制御命令をＦＳＫ変調して混合器３に送出する。
【００２０】
混合器３は、ＴＶ信号であるＲＦ信号と、ＦＳＫ変調器２からのＦＳＫ変調された遠隔制御命令とを混合した混合信号を光送信器４に出力する。光送信器４は、混合器３からの混合信号を光信号に変換し、その光信号を光ファイバ５経由で光分岐器６に伝送する。光送信器４は、例えば、混合器３からの混合信号の変化に応じて光変調度を調整した後、レーザーダイオードにより混合器３からの混合信号を光信号に変換している。
【００２１】
光分岐器６は、光ファイバ５によって伝送されてきた光信号をｎ（ｎは自然数）分岐して各光ファイバ７−１〜７−ｎ経由で各加入者宅の各V-ONU８−１〜８−ｎに伝送する。各加入者宅の各V-ONU８−１〜８−ｎは、受信した光信号を電気信号に変換し、その電気信号に含まれているＲＦ信号を各加入者宅の各同軸ケーブルを介して各加入者宅の各テレビ受信機９−１〜９−ｎに伝送する。また、各加入者宅の各V-ONU８−１〜８−ｎは、受信した光信号を変換して得られた電気信号に含まれているＦＳＫ変調された遠隔制御命令を、内部のＦＳＫ復調器（図１において不図示）によってＦＳＫ復調して遠隔制御命令を認識している。
【００２２】
そして、センタ局からV-ONUへの遠隔制御は、V-ONU８−１〜８−ｎに対して個別に或いは一斉に行われる。個別の遠隔制御を可能にするために、V-ONU８−１〜８−ｎ各々に固有識別情報（例えばアドレス）を付与する必要がある。個別の遠隔制御を行う場合、制御対象のV-ONUに付与した固有識別情報（例えばアドレス）を指定して制御を実行することになる。
【００２３】
したがって、個別の遠隔制御を可能にするために、V-ONU８−１〜８−ｎ各々は、工場において固有識別情報（例えばアドレス）を付与され、その後出荷され、最終的に図１に示すように各加入者宅に設置される。
【００２４】
各D-ONU１１−１〜１１−ｎは、各V-ONU８−１〜８−ｎとともに各光端末装置１６−１〜１６−ｎの筐体内部に収納されている（後述の図２参照）。各D-ONU１１−１〜１１−ｎと各加入者側パソコン１０−１〜１０−ｎとはＬＡＮケーブルで接続されている。各D-ONU１１−１〜１１−ｎは、通信系のユニットであり、例えばインターネット接続などに使用され、各加入者側パソコン１０−１〜１０−ｎを各光ファイバ１２―１〜１２−ｎ、光分岐器１３、光ファイバ１４、及び通信系機器１５を介してインターネット等のネットワークに接続することができる。
【００２５】
次に、V/D-ONU１６−１〜１６−ｎ並びにその構成要素であるV-ONU８−１〜８−ｎ及びD-ONU１１−１〜１１−ｎについて図２〜図５を参照して詳細に説明する。
【００２６】
V/D-ONU１６−１〜１６−ｎはそれぞれ例えば図２に示すような外観であり、箱状の本体２０と、本体２０の開放部を開閉自在に覆う蓋２１とを備え、本体２０内部に光ファイバトレイ２２と信号処理回路ユニット２３とD-ONU１１とを収納している。本体２０の底面２０Ａに設けられた光ファイバ挿入口２４を通じて外部から光ファイバが導入され、その導入された光ファイバが光ファイバトレイ２２上に巻き付けられ、前記光ファイバの端部に設けた光コネクタが光中継アダプタに接続される。また、本体２０の底面２０Ａには、光ファイバ挿入口２４の他に同軸ケーブル接続用コネクタ２５も設けられている。光ファイバによって伝送された光信号は、信号処理回路ユニット２３において信号処理されて、電気信号（ＲＦ信号）に変換され、同軸ケーブル接続用コネクタ２５から外部に出力される。なお、図２では、本体２０内の右側に信号処理回路ユニット２３が収納されていることを表すために、その上部に搭載される光ファイバトレイの図示を省略しているが、実際には本体２０の左側と同様に光ファイバトレイを搭載している。
【００２７】
また、V-ONU８−１〜８−ｎはそれぞれ例えば図３に示す概略構成のV-ONUである。図３に示すV-ONUは、入力ポート（光中継アダプタ）ＩＮと、入力ポートＩＮからの光信号を電気信号に変換する光電変換回路（例えばフォトダイオード）２６と、光電変換回路２６から出力された電気信号を増幅する増幅器２８と、増幅器２８から出力された電気信号をＴＶ信号であるＲＦ信号と遠隔制御命令を含むＦＳＫ復調用のＲＦ信号に分離する機能を有する分岐器２９と、分岐器２９の幹線出力からのＴＶ信号であるＲＦ信号に対してレベル調整を行うレベル調整部３０と、レベル調整部３０から送出される信号をＲＦ出力信号としてテレビ受信機などに外部出力する出力端子（同軸ケーブル接続用コネクタ）とを備えている。
【００２８】
図３に示すV-ONUは、さらに、分岐器２９の分岐の出力端から送出されるＦＳＫ復調用のＲＦ信号をＦＳＫ復調するＦＳＫ復調器３１と、マイクロコンピュータ（以下、マイコンという）３２と、マイコン３２の制御に応じたＬＥＤ（Light Emitting Diode）駆動信号を出力するＬＥＤ駆動部３３と、ＬＥＤ駆動部３３からのＬＥＤ駆動信号によって駆動するＬＥＤ３４とを備えている。マイコン３２は、不揮発性メモリ（例えばフラッシュメモリ）３２Ａと、Ａ／Ｄ変換器（不図示）とを内蔵している。
【００２９】
マイコン３２は、請求項に記載の判定手段の一例であり、請求項に記載の設定手段の一例でもある。不揮発性メモリ３２Ａは、請求項に記載の記憶手段の一例である。ＬＥＤ３４は、請求項に記載の判定結果出力手段の一例である。光電変換回路２６、分岐器２９、及びＦＳＫ復調器３１は、請求項に記載の抽出手段の一例である。光電変換回路２６は、請求項に記載の光電変換手段の一例である。
【００３０】
光電変換回路２６の光入力レベルを検波した検波電圧はマイコン３２のポートＰ１に入力される。マイコン３２は、ポートＰ１に入力される検波電圧をＡ／Ｄ変換器によってデジタル値に変換する。したがって、ポートＰ１に入力される検波電圧のＡ／Ｄ変換値は、入力ポートＩＮに入力される光信号のレベル（＝光端末装置の光入力レベル）に応じて変化する。また、検波電圧を調整する回路（例えば可変抵抗）を用いて、電圧値を可変させ、入力ポートＩＮへ入力される電圧を一定にさせることもできる。
【００３１】
マイコン３２は、光入力レベルが正常範囲内であるか否かを判定する際に用いられる正常範囲上限値および正常範囲下限値を不揮発性メモリ３２Ａに予め格納している。また、マイコン３２は、固有識別情報（例えばアドレス）も不揮発性メモリ３２Ａに予め格納している。
【００３２】
マイコン３２は、ポートＰ１に入力される検波電圧のＡ／Ｄ変換値を、正常範囲上限値および正常範囲下限値それぞれと比較し、ポートＰ１に入力される検波電圧のＡ／Ｄ変換値が正常範囲下限値以上であって正常範囲上限値以下であれば光入力レベルが正常範囲内であると判定し、ポートＰ１に入力される検波電圧のＡ／Ｄ変換値が正常範囲下限値未満あるいは正常範囲上限値より大きければ光入力レベルが正常範囲内でないと判定する。
【００３３】
なお、上記の実施例では、正常範囲上限値と正常範囲下限値の両方を設定しているが、いずれか一方のみを設定して光入力レベルが正常範囲内であるか否かを判定するようにしてもよい。
【００３４】
マイコン３２は、光入力レベルが正常範囲内であるか否かの判定結果に応じてＬＥＤ駆動部３３を制御する。例えば、ＬＥＤ３４を緑色ＬＥＤで構成し、光入力レベルが正常範囲内であるという判定結果が得られた場合はＬＥＤ３４を点灯させ、光入力レベルが正常範囲内でないという判定結果が得られた場合はＬＥＤ３４を消灯させるようにすればよい。さらに、マイコン３２は、光入力レベルが正常範囲内であるか否かの判定結果に関する通知信号を、V-ONUのアドレスを付与した形式で出力する。または、判定結果に関する通知信号をＯＫ／ＮＧの２値で出力する。当該通知信号は、通知信号出力端子３５からD-ONU１１（図２参照）に送信され、D-ONU１１によってセンタ局の通信系機器１５に伝送され、さらに通信系機器１５からV-ONU遠隔制御用パソコン１に送信される。これにより、V-ONU遠隔制御用パソコン１が、V-ONU８−１〜８−ｎそれぞれについて、光入力レベルが正常範囲内であるか否かの判定結果を把握することができる。
【００３５】
図３に示すV-ONUは、判定基準値（正常範囲上限値、正常範囲下限値）を遠隔制御命令に応じて変更する構成である。具体的には、マイコン３２が、ＦＳＫ復調器３１から判定基準値設定コマンド（遠隔制御命令の一種）を受け取り、その判定基準値設定コマンドに基づいて、不揮発性メモリ３２Ａに格納している判定基準値（正常範囲上限値、正常範囲下限値）を書き換える。
【００３６】
このような構成により、光入力レベルの正常範囲を変更することができる。また、図３に示すV-ONUは、判定基準値を不揮発性メモリ３２Ａに格納しているので、停電などにより図３に示すV-ONUへの電源供給が遮断されその後復旧した場合でも、判定基準値を記憶しておくことができる。
【００３７】
判定基準値の設定は、工場において行われ、その後出荷され、最終的に図１に示すように各加入者宅に設置される。工場内での判定基準値の設定は、例えば図４に示すシステム構成で行うとよい。図４に示す判定基準値設定用システムは、パーソナルコンピュータ（以下、パソコンという）３６と、ＦＳＫ変調器３７と、光送信器３８と、光ＡＴＴ（Attenuator）３９と、光ファイバ４０と、上述した構成の光端末装置１６−ｍ（ｍは１以上ｎ以下の自然数）とによって構成される。
【００３８】
パソコン３６は、判定基準値設定用ソフトウェアを内部の記憶部（不図示）に格納しており、その判定基準値設定用ソフトウェアを実行することで、判定基準値設定コマンド（遠隔制御命令の一種）をＦＳＫ変調器３７に出力する。ＦＳＫ変調器３７は、判定基準値設定コマンドをＦＳＫ変調して光送信器３８に出力する。光送信器３８は、ＦＳＫ変調された判定基準値設定コマンドを光信号に変換する。光送信器３８は、例えば、ＦＳＫ変調器３７から出力される信号の変化に応じて光変調度を調整した後、レーザーダイオードによりＦＳＫ変調器３７から出力される信号を光信号に変換している。光送信器３８から送信される光信号は、光ＡＴＴ３９によってレベル調整されたのち、光ファイバ４０経由で光端末装置１６−ｍに伝送される。
【００３９】
正常範囲上限値を設定する場合、まず光端末装置１６−ｍの光入力レベルが０dBmになるように光ＡＴＴ３９でレベル調整を行う。当該レベル調整が完了した後、パソコン３６が、正常範囲上限値設定コマンド（判定基準値設定コマンドの一種）をＦＳＫ変調器３７に出力する。ここで、正常範囲上限値設定コマンドのデータ構成例を図５に示す。図５に示す正常範囲上限値設定コマンドは、シリアルデータの先頭を示す制御コードであるＳＴＸ、正常範囲上限値設定コマンドであることを示す第１の識別子、チェックサム、シリアルデータの末尾を示す制御コードであるＥＴＸの順にデータ送信されるシリアルコマンドである。なお、チェックサムは、チェックサムより前のデータ全てを対象とするチェックサムでも良く、チェックサムより前のデータの一部のみを対象とするチェックサムでもよい。
【００４０】
そして、光端末装置１６−ｍ内のマイコン３２（図３参照）は、図５に示すデータ構成の正常範囲上限値設定コマンドを受け取り、正常範囲上限値設定コマンドに第１の識別子が含まれていることを確認すると、その時点でポートＰ１に入力されている検波電圧のＡ／Ｄ変換値を正常範囲上限値として不揮発性メモリ３２Ａに書き込む。これにより、光入力レベル０dBmに光電変換回路２６内のフォトダイオードの特性ばらつきが反映された結果（＝第１の識別子を確認した時点でポートＰ１に入力されている検波電圧のＡ／Ｄ変換値）が正常範囲上限値となるので、実際には問題のない光入力レベルであるにもかかわらず光入力レベルが正常範囲の上限を上回っていると判定されてしまうおそれがなくなる。
【００４１】
図５に示すデータ構成の正常範囲上限値設定コマンドの代わりに、例えば図６に示すデータ構成の正常範囲上限値設定コマンドを用いるようにしてもよい。図６に示す正常範囲上限値設定コマンドは、シリアルデータの先頭を示す制御コードであるＳＴＸ、正常範囲上限値設定コマンドであることを示す第２の識別子、判定基準値、チェックサム、シリアルデータの末尾を示す制御コードであるＥＴＸの順にデータ送信されるシリアルコマンドである。なお、チェックサムは、チェックサムより前のデータ全てを対象とするチェックサムでも良く、チェックサムより前のデータの一部のみを対象とするチェックサムでもよい。
【００４２】
光端末装置１６−ｍ内のマイコン３２（図３参照）は、図６に示すデータ構成の正常範囲上限値設定コマンドを受け取り、正常範囲上限値設定コマンドに第２の識別子が含まれていることを確認すると、正常範囲上限値設定コマンドに含まれている判定基準値を正常範囲上限値として不揮発性メモリ３２Ａに書き込む。図６に示すデータ構成の正常範囲上限値設定コマンドを用いた場合は、図５に示すデータ構成の正常範囲上限値設定コマンドを用いた場合と異なり、正常範囲上限値に光電変換回路２６内のフォトダイオードの特性ばらつきが反映されていない点に留意する必要がある。
【００４３】
一方、正常範囲下限値を設定する場合、まず光端末装置１６−ｍの光入力レベルが−６dBmになるように光ＡＴＴ３９でレベル調整を行う。当該レベル調整が完了した後、パソコン３６が、正常範囲下限値設定コマンド（判定基準値設定コマンドの一種）をＦＳＫ変調器３７に出力する。ここで、正常範囲下限値設定コマンドのデータ構成例を図７に示す。図７に示す正常範囲下限値設定コマンドは、シリアルデータの先頭を示す制御コードであるＳＴＸ、正常範囲下限値設定コマンドであることを示す第３の識別子、チェックサム、シリアルデータの末尾を示す制御コードであるＥＴＸの順にデータ送信されるシリアルコマンドである。なお、チェックサムは、チェックサムより前のデータ全てを対象とするチェックサムでも良く、チェックサムより前のデータの一部のみを対象とするチェックサムでもよい。
【００４４】
そして、光端末装置１６−ｍ内のマイコン３２（図３参照）は、図７に示すデータ構成の正常範囲下限値設定コマンドを受け取り、正常範囲下限値設定コマンドに第３の識別子が含まれていることを確認すると、その時点でポートＰ１に入力されている検波電圧のＡ／Ｄ変換値を正常範囲下限値として不揮発性メモリ３２Ａに書き込む。これにより、光入力レベル−６dBmに光電変換回路２６内のフォトダイオードの特性ばらつきが反映された結果（＝第３の識別子を確認した時点でポートＰ１に入力されている検波電圧のＡ／Ｄ変換値）が正常範囲下限値となるので、実際には問題のない光入力レベルであるにもかかわらず光入力レベルが正常範囲の下限を下回っていると判定されてしまうおそれがなくなる。
【００４５】
図７に示すデータ構成の正常範囲下限値設定コマンドの代わりに、例えば図８に示すデータ構成の正常範囲下限値設定コマンドを用いるようにしてもよい。図８に示す正常範囲下限値設定コマンドは、シリアルデータの先頭を示す制御コードであるＳＴＸ、正常範囲下限値設定コマンドであることを示す第４の識別子、判定基準値、チェックサム、シリアルデータの末尾を示す制御コードであるＥＴＸの順にデータ送信されるシリアルコマンドである。なお、チェックサムは、チェックサムより前のデータ全てを対象とするチェックサムでも良く、チェックサムより前のデータの一部のみを対象とするチェックサムでもよい。
【００４６】
光端末装置１６−ｍ内のマイコン３２（図３参照）は、図８に示すデータ構成の正常範囲下限値設定コマンドを受け取り、正常範囲下限値設定コマンドに第４の識別子が含まれていることを確認すると、正常範囲下限値設定コマンドに含まれている判定基準値を正常範囲下限値として不揮発性メモリ３２Ａに書き込む。図８に示すデータ構成の正常範囲下限値設定コマンドを用いた場合は、図７に示すデータ構成の正常範囲下限値設定コマンドを用いた場合と異なり、正常範囲下限値に光電変換回路２６内のフォトダイオードの特性ばらつきが反映されていない点に留意する必要がある。
【００４７】
また、光端末装置１６−ｍは、図１に示す光伝送システムの運用開始後に光端末装置１６−１〜１６−ｎの光入力レベルの正常範囲を変更したいという要求が生じた場合にも対応することができる。V-ONU遠隔制御用パソコン１は、光端末装置１６−ｍの光入力レベルの正常範囲を変更する必要が生じたときに、判定基準値設定コマンド（例えば、図５及び図７に示すデータ構成のコマンド、或いは、図６及び図８に示すデータ構成のコマンド）をV-ONU８−１〜８−ｎに送信する。
【００４８】
V-ONU遠隔制御用パソコン１が図５又は図６に示すデータ構成のコマンドをV-ONU８−１〜８−ｎに送信した場合、V-ONU８−１〜８−ｎ全てにおいて不揮発性メモリ３２Ａに記憶されている正常範囲上限値が書き換わる。また、V-ONU遠隔制御用パソコン１が図７又は図８に示すデータ構成のコマンドをV-ONU８−１〜８−ｎに送信した場合、V-ONU８−１〜８−ｎ全てにおいて不揮発性メモリ３２Ａに記憶されている正常範囲下限値が書き換わる。
【００４９】
V-ONU８−１〜８−ｎに対して個別に又はグループ毎に正常範囲上限値或いは正常範囲下限値を変更することを可能にするためには、例えば、図５〜図８に示すデータ構成のコマンドをそれぞれ図９（ａ）〜（ｄ）に示すデータ構成に変更するとよい。また、グループ毎に判定基準値を変更する場合には、例えば、V-ONU遠隔制御用パソコン１がV-ONU８−１〜８−ｎについてのアドレスとグループとの対応関係を記憶しておくようにするとよい。図９（ａ）〜（ｄ）に示すデータ構造のコマンドでは、ＳＴＸと識別子との間に、正常範囲上限値或いは正常範囲下限値を変更するV-ONUを特定するためのアドレス即ち正常範囲上限値或いは正常範囲下限値の変更対象であるV-ONUのアドレスが設けられている。
【００５０】
次に、本発明の第２実施形態に係るＣＡＴＶ用光伝送システムの概略構成を図１０に示す。なお、図１０において、図１と同一の部分には同一の符号を付し、詳細な説明を省略する。
【００５１】
図１０に示す光伝送システムは、V-ONU遠隔制御用パーソナルコンピュータ１と、ＦＳＫ変調器２と、混合器３と、光送信器４と、光ファイバ５と、光分岐器６と、光ファイバ７−１〜７−ｎと、遠隔制御機能を有するV-ONU８−１〜８−ｎと、テレビ受信機９−１〜９−ｎとを備えている。即ち、図１０に示す光伝送システムは、図１に示す光伝送システムから、加入者側パソコン１０と、D-ONU１１−１〜１１−ｎと、光ファイバ１２−１〜１２−ｎと、光分岐器１３と、光ファイバ１４と、通信系機器１５とを取り除いた構成である。
【００５２】
図１０に示す光伝送システムでは、各V-ONU８−１〜８−ｎが本発明に係る光端末装置に該当する。また、図１０に示す光伝送システムで用いられている光端末装置（V-ONU８−１〜８−ｎ）の外観例は、図２に示す外観とほぼ同様であり、図２からD-ONU１１を取り除いたものとなる。また、図１０に示す光伝送システムで用いられている光端末装置（V-ONU８−１〜８−ｎ）の概略構成例は、図３に示す構成とほぼ同様であり、図３から通知信号出力端子３５を取り除き、光入力レベルが正常範囲内であるか否かの判定結果に関する通知信号をマイコン３２が出力しない構成としたものである。
【００５３】
したがって、図１０に示す光伝送システムは、図１に示す光伝送システムと同様に、光入力レベルの正常範囲を変更することができる。
【００５４】
なお、本発明に係る光端末装置及び本発明に係る光伝送システムは、上述した第１及び第２実施形態の構成に限定されることはない。
【００５５】
例えば、図３に示すV-ONUは、光入力レベルが正常範囲内であるか否かの判定結果を、ＬＥＤ３４の点灯／消灯により、出力している構成であるが、当該構成に代えて、例えば、光入力レベルが正常範囲内であるか否かの判定結果を、ＬＥＤの色を緑／赤にしてもよいし、音声出力及びD-ONUを介してのV-ONU遠隔制御用パソコン１への通知信号出力或いは音声出力により、出力するようにしてもよい。
【符号の説明】
【００５６】
１    V-ONU遠隔制御用パソコン
２    ＦＳＫ変調器
３    混合器
４    光送信器
５    光ファイバ
６    光分岐器
７−１〜７−ｎ    光ファイバ
８−１〜８−ｎ    V-ONU（本発明に係る光端末装置の一例）
９−１〜９−ｎ    テレビ受信機
１０―１〜１０−ｎ    加入者側パソコン
１１、１１−１〜１１−ｎ    D-ONU
１２−１〜１２−ｎ    光ファイバ
１３    光分岐器
１４    光ファイバ
１５    通信系機器
１６−１〜１６−ｎ    V/D-ONU
２０    本体
２０Ａ    本体の底面
２１    蓋
２２    光ファイバトレイ
２３    信号処理回路ユニット
２４    光ファイバ挿入口
２５    同軸ケーブル接続用コネクタ
２６    光電変換回路
２８    増幅器
２９    分岐器
３０    レベル調整部
３１    ＦＳＫ復調器
３２    マイコン
３２Ａ      不揮発性メモリ
３３    ＬＥＤ駆動部
３４    ＬＥＤ
３５    通知信号出力端子
３６    パソコン
３７    ＦＳＫ変調器
３８    光送信器
３９    光ＡＴＴ
４０    光ファイバ
Ｐ１    ポート
【図１】
2010239497.tif 000003
【図２】
2010239497.tif 000004
【図３】
2010239497.tif 000005
【図４】
2010239497.tif 000006
【図５】
2010239497.tif 000007
【図６】
2010239497.tif 000008
【図７】
2010239497.tif 000009
【図８】
2010239497.tif 000010
【図９】
2010239497.tif 000011
【図１０】
2010239497.tif 000012